(57)【要約】  この発明は、医薬品送達装置であって、概して細長いハウジングを含み、ハウジングは、互いに対して可動に配置され搭載された近位ハウジング部および遠位ハウジング部を含み、前記医薬品送達装置はさらに、前記遠位ハウジング部に収容され、遠位ハウジング部に対して摺動可能に配置された駆動力機構と、前記近位ハウジング部内に配置された、医薬品が充填された容器と、前記駆動力機構に動作可能に接続され、前記駆動力機構を負荷状態で保持するための保持部材とを含み、前記保持部材は、前記ハウジング部が互いに向かって動かされると、近位ハウジング部によって、遠位ハウジング部に対して、装置の遠位端に向かって予め定められた距離だけ、軸方向に動かされるよう配置されており、前記医薬品送達装置はさらに作動部材を含み、前記作動部材は、遠位ハウジング部に対して、作動部材が遠位ハウジング部から部分的に突出する非動作位置から、作動部材が遠位ハウジング内に閉じ込められる動作位置へと付勢されるよう構成され、前記作動部材は、駆動力機構をその負荷状態から解除するために前記駆動力機構に動作可能に接続されており、前記作動機構が解除されたか否かに係わらず、前記作動部材が付勢後いつも後戻りするように、前記作動部材は遠位ハウジング部に弾性的に接続されており、保持部材が遠位ハウジング部に対して軸方向に動かされ、作動部材が非動作位置から動作位置へと付勢されて初めて、前記駆動力機構はその負荷状態から解除されるよう構成されている、医薬品送達装置に関する。
2013536725.tif 000002
【特許請求の範囲】
【請求項１】
医薬品送達装置であって、
概して細長いハウジングを含み、ハウジングは、互いに対して可動に配置され搭載された近位ハウジング部（１２）および遠位ハウジング部（１０）を含み、前記医薬品送達装置はさらに、
前記遠位ハウジング部に収容され、遠位ハウジング部に対して摺動可能に配置された駆動力機構と、
前記近位ハウジング部内に配置された、医薬品が充填された容器（２２）と、
前記駆動力機構に動作可能に接続され、前記駆動力機構を負荷状態で保持するための保持部材（５０）とを含み、前記保持部材は、前記ハウジング部が互いに向かって動かされると、近位ハウジング部によって、遠位ハウジング部に対して、装置の遠位端に向かって予め定められた距離だけ、軸方向に動かされるよう配置されており、前記医薬品送達装置はさらに、
作動部材（５６）を含み、前記作動部材は、遠位ハウジング部に対して、作動部材が遠位ハウジング部から部分的に突出する非動作位置から、作動部材が遠位ハウジング内に閉じ込められる動作位置へと付勢されるよう構成され、前記作動部材は、駆動力機構をその負荷状態から解除するために前記駆動力機構に動作可能に接続されており、
前記医薬品送達装置は、
前記作動機構が解除されたか否かに係わらず、前記作動部材が付勢後いつも後戻りするように、前記作動部材が遠位ハウジング部に弾性的に接続されていること、および
保持部材が遠位ハウジング部に対して軸方向に動かされ、作動部材が非動作位置から動作位置へと付勢されて初めて、前記駆動力機構がその負荷状態から解除されるよう構成されていることを特徴とする、医薬品送達装置。
【請求項２】
近位ハウジング部（１２）は協働手段（６０）を含み、保持部材（５０）は反協働手段（６２）を含み、それらは、保持部材を遠位ハウジング部に対して装置の遠位端に向かって予め定められた距離だけ動かすためにともに相互作用する、請求項１に記載の医薬品送達装置。
【請求項３】
駆動力機構は、プランジャロッド（３２）と、駆動力ばね（３４）と、駆動部材（４０）とを含む、請求項１〜２のいずれかに記載の医薬品送達装置。
【請求項４】
作動部材（５６）は係合手段（５２）を含み、プランジャロッド（３２）は反係合手段（３３）を含み、それらはともに相互作用し、
前記係合手段および前記反係合手段は、前記作動部材が付勢されると、プランジャロッドが遠位ハウジング部に対して予め定められた距離だけ軸方向に動かされるように構成されている、請求項３に記載の医薬品送達装置。
【請求項５】
駆動部材（４０）は解除可能手段（４４）を含み、プランジャロッド（３２）は反解除可能手段（４２）を含み、それらは、プランジャロッドを駆動部材に解除可能に係合するためにともに相互作用する、請求項４に記載の医薬品送達装置。
【請求項６】
係合手段（５２）は、作動部材（５６）の、近位方向に延在する舌状部であり、
反係合手段（３３）は、プランジャロッド（３２）の遠位端環状面である、請求項１〜５のいずれかに記載の医薬品送達装置。
【請求項７】
駆動部材（４０）の解除可能手段（４４）は、内側に延在する棚部（４６）が設けられた、径方向に屈曲するアームであり、プランジャロッド（３２）の反解除可能手段（４２）は、その円周方向外面上の溝であり、
内側に延在する棚部（４６）は前記溝に嵌まり、
保持部材（５０）は、前記保持部材が非活動位置にある場合、径方向に屈曲するアームを完全に包囲して配置されている、請求項５〜６のいずれかに記載の医薬品送達装置。
【請求項８】
前記保持部材（５０）は、遠位ハウジング部に対して、装置の遠位端に向かって予め定められた距離だけ、非活動位置から、保持部材が径方向に屈曲するアーム（４４）を部分的に包囲する活動位置へと、軸方向に動かされるよう配置されている、請求項５〜７のいずれかに記載の医薬品送達装置。
【請求項９】
前記容器（２２）はマルチチャンバ医薬品容器であり、それにより、マルチチャンバは、前記ハウジング部を互いに向かって動かすことによって混合可能である、請求項１〜８のいずれかに記載の医薬品送達装置。
【請求項１０】
保持部材の活動位置は、マルチチャンバが混合されるマルチチャンバの位置に対応している、請求項９に記載の医薬品送達装置。
【発明の詳細な説明】
【技術分野】
【０００１】
この発明は、医薬品を安全かつ信頼できる方法で投与、分配、または送達するための医薬品送達装置に関する。より特定的には、それは、注射装置であって、前記装置に配置された針を手動で穿通し、マルチチャンバ容器から薬物混合物を自動的に注射するための注射装置に関する。
【背景技術】
【０００２】
発明の背景
長期間保存可能であり、また、液体状態のすぐに使える医薬品を収容する容器、たとえばカートリッジ、シリンジ、アンプル、キャニスタなどに充填された、さまざまな種類の医薬品がある。しかしながら、医薬剤（たとえば、凍結乾燥された、粉末状の、または濃縮された液体）および希釈剤（たとえば、水、ブドウ糖液、または食塩水）という２つの物質の混合物である他の種類の医薬品もあり、これらの種類の医薬品を予め混合して長期間保存することはできない。なぜなら、この医薬剤は不安定で劣化するおそれがあり、その効果を急速に失うためである。このため、ユーザ、たとえば患者自身、医者、看護師、病院職員、または訓練された人は、ある投与量の医薬品を患者に送達する前の限られた期間内で混合を行なう必要がある。また、医薬剤の中には、混合中に著しい化学変化に遭遇しがちなものもある。そのような敏感な医薬剤は特定の処理を必要とし、そのため、前記医薬剤を希釈剤と混合する際、過度の混合力が前記医薬剤を劣化させるであろう。
【０００３】
混合を容易にするために、少なくとも２つのチャンバを含み、マルチチャンバ容器として公知である多数の混合用容器が開発されてきた。これらのマルチチャンバ容器は、医薬剤を収容する第１のチャンバと、希釈剤を収容する少なくとも第２のチャンバとを含む。これらのチャンバは、医薬剤が劣化しないよう、ストッパで密封されている。投与直前に医薬剤を混合しようとする際、通常、容器の遠位ストッパを、次に仕切りストッパを若干押すことにより、チャンバ間で方向変更通路が開放される。これらの通路により、医薬剤と希釈剤との混合が可能になり、医薬品はすぐに送達できる状態になる。
【０００４】
上述の要件は、普通の皮下注射器といった単純な医薬品送達装置によって達成可能であるが、手順はもちろん、特にこれらの装置の取扱いに慣れていないユーザにとっては、かなり厄介なものである。患者自身が予め定められた投与量の医薬品を簡単で安全でかつ信頼できる方法で投与することを容易にするために、また、病院職員が同様に容易になった方法で医薬品を投与することを容易にするために、多くの自動および反自動装置が、送達前混合を得るために、これらのマルチチャンバ解決策と組合されて開発されてきた。
【０００５】
混合および注射の双方がばねおよび他の手段としての機械的手段によって自動的に行なわれる、二重チャンバ容器が配置された自己注射装置が、ＵＳ４，７５５，１６９に開示されている。同様の解決策がＵＳ６，７９３，６４６に開示されており、二重チャンバカートリッジの混合は、装置の起動とともにばねによって自動的に行なわれ、注射は、力をプランジャロッドへと前方に手動で加えることによって行なわれる。これらの装置の欠点は、医薬剤が受ける混合力が当初、フックの法則により強過ぎることである。このため、医薬剤が劣化するおそれがある。
【０００６】
別の解決策がＷＯ２００４００４８０９に開示されており、混合および注射の双方が電子制御手段によって自動的に行なわれる。この装置の欠点は、電子機器がバッテリに依存しており、ノイズ、湿気、水などに非常に敏感で、機能不良につながり得るということである。また、これらの装置の製造は、機械的装置の製造よりも費用がかかる。
【０００７】
ＵＳ６，３１９，２２５では、二重チャンバアンプルの混合が手動で行なわれる。この装置は平面上に垂直になるようセットされ、次に、混合が得られるようにアンプル内の作用を目視観察しつつ、その近位ケースに対して下向きに押すことにより、そのプランジャロッドがアンプルのストッパを押す相対的に上向きの動きが生じる。ＵＳ６，３１９，２２５では、医薬剤を希釈剤と混合するための最適なプロセスは、目視観察によって監視されるであろう適切な遅さで希釈剤流の手動制御を行なうことによるということが開示されているが、この装置の欠点は、ユーザがストレスを受けて装置をできるだけ早く使用したい場合に、医薬剤が受ける混合力が強くなり得るということである。このため、医薬剤が劣化するおそれがある。
【０００８】
さらに、ある程度の自動機能と緊急状況での即時アクセス性とを有する注射器装置の取扱いおよび安全性の局面は、この種の装置を開発する際に多くの注目を集める事項である。
【０００９】
手動混合と自動注射とを達成するために使用される自動注射器を取扱う際の重要な安全性の一局面は、手動混合が完了する前に、プランジャロッドを駆動するために配置された注射手段、たとえば圧縮ばねをロックすることである。
【００１０】
そのような装置が、自己注射装置に二重チャンバ本体が配置されたＵＳ６，８９３，４２０に開示されている。混合はねじを締める動作によって手動で行なわれ、装置は、混合が完全に終了する前に自動穿通および注射手段が解除されないようにする、ラッチ手段をロックするためのロック手段を含む。しかしながら、この解決策はかなりかさ高く、また多くの構成要素が協働しておよび順々に、１つが別のものをトリガするよう作用することに依存しており、それは、機能不良、投与量の精度不良、または装置が複雑化して使いにくくなるということにつながる場合がある。この装置は、混合終了後に装置からロック手段を自発的に取外さなければならないという欠点を抱えている。これは、ロック手段を取外す代わりに押そうとしがちなユーザには直感で理解できない工程である。別の欠点は投与量の精度である。なぜなら、穿通によりストッパが押され始め、穿通シーケンス全体を通して医薬品が放出されるため、意図された穿通深さで所要の投与量を注射する代わりに、いわゆる湿潤注射、および穿通シーケンス全体を通した医薬品の送達につながるためである。
【００１１】
別のそのような装置が、マルチチャンバ容器内の成分を混合するために注射装置に対して手動で動かすことができる、マルチチャンバ容器を内部に有する容器ホルダを有する注射装置に関するＷＯ２００７／１１５４２４Ａ１に開示されている。この装置はさらに、注射装置の一部に当たり得るばねと、容器ホルダを注射装置内へと動かす間にばねに張力がかかるように、容器ホルダをばねに結合するための結合要素とを含む。この装置は起動ノブおよびプッシュボタンも含み、起動ノブは、プッシュボタンをハウジングから強制突出させ、それにより装置をすぐに注射送達できる状態に設定するために、回転されなければならない。しかしながら、この解決策は、混合終了後にプッシュボタンを解除するために起動ノブを自発的に操作しなければならないという欠点を抱えている。これは、ノブを回転させる代わりにプッシュボタンまたは起動手段がどこに位置するかを見付けようとしがちなユーザには直感で理解できない工程である。
【００１２】
さらに、本願の出願人の先行特許出願であるＷＯ２００９／１４７０２６Ａ１に開示された別の装置は、自動注射がいつ開始し、いつ終了するかをユーザに示していないという問題を抱えている。
【００１３】
ＵＳ６，８９３，４２０、ＷＯ２００７／１１５４２４Ａ、およびＷＯ２００９／１４７０２６Ａ１に記載の装置は、良好に機能し、ある程度の安全性を示すことが判明しているが、そのような装置の改良に対する要望は常に存在し、それらの中には、製造および組立を簡略化し、コストを下げるための機構の設計があり、しかしながら同時に、装置の機能および安全性の信頼性を維持またはさらには改良する、改良された特徴を有することがある。
【発明の概要】
【発明が解決しようとする課題】
【００１４】
発明の簡単な説明
この発明の目的は、装置の偶発的な早期発射のリスクを妨げ、または最小限に抑える、医薬品送達を安全かつ信頼できる方法で取扱うことが可能な改良された医薬品送達装置を提供することである。
【００１５】
この目的は、独立特許請求項に記載の医薬品送達装置によって、この発明の主な局面に従って得られる。この発明の技術的および／または機能的特徴の好ましい詳細は、従属特許請求項の主題を形成する。
【課題を解決するための手段】
【００１６】
この発明の主な局面によれば、それは、医薬品送達装置であって、概して細長いハウジングを含み、ハウジングは、互いに対して可動に配置され搭載された近位ハウジング部および遠位ハウジング部を含み、前記医薬品送達装置はさらに、前記遠位ハウジング部に収容され、遠位ハウジング部に対して摺動可能に配置された駆動力機構と、前記近位ハウジング部内に配置された、医薬品が充填された容器と、前記駆動力機構に動作可能に接続され、前記駆動力機構を負荷状態で保持するための保持部材とを含み、前記保持部材は、前記ハウジング部が互いに向かって動かされると、近位ハウジング部によって、遠位ハウジング部に対して、装置の遠位端に向かって予め定められた距離だけ、軸方向に動かされるよう配置されており、前記医薬品送達装置はさらに作動部材を含み、前記作動部材は、遠位ハウジング部に対して、作動部材が遠位ハウジング部から部分的に突出する非動作位置から、作動部材が遠位ハウジング内に閉じ込められる動作位置へと付勢されるよう構成され、前記作動部材は、駆動力機構をその負荷状態から解除するために前記駆動力機構に動作可能に接続されており、前記作動機構が解除されたか否かに係わらず、前記作動部材が付勢後いつも後戻りするように、前記作動部材は遠位ハウジング部に弾性的に接続されており、保持部材が遠位ハウジング部に対して軸方向に動かされ、作動部材が非動作位置から動作位置へと付勢されて初めて、前記駆動力機構はその負荷状態から解除されるよう構成されている、医薬品送達装置によって特徴付けられている。
【００１７】
この発明の別の局面によれば、近位ハウジング部は協働手段を含み、保持部材は反協働手段を含み、それらは、保持部材を遠位ハウジング部に対して装置の遠位端に向かって予め定められた距離だけ動かすためにともに相互作用する。また、駆動力機構は、プランジャロッドと、駆動力ばねと、駆動部材とを含む。
【００１８】
この発明のさらに別の局面によれば、作動部材は係合手段を含み、プランジャロッドは反係合手段を含み、それらはともに相互作用し、前記係合手段および前記反係合手段は、前記作動部材が付勢されると、プランジャが遠位ハウジング部に対して予め定められた距離だけ軸方向に動かされるように構成されている。
【００１９】
この発明のさらなる局面によれば、駆動部材は解除可能手段を含み、プランジャロッドは反解除可能手段を含み、それらは、プランジャロッドを駆動部材に解除可能に係合するためにともに相互作用する。
【００２０】
この発明の別の局面によれば、係合手段は、近位方向に延在する舌状部であり、反係合手段は、プランジャロッドの遠位端環状面である。
【００２１】
この発明のさらに別の局面によれば、駆動部材の解除可能手段は、内側に延在する棚部が設けられた、径方向に屈曲するアームであり、プランジャロッドの反解除可能手段は、その円周方向外面上の溝であり、内側に延在する棚部は前記溝に嵌まり、保持部材は、前記保持部材が非活動位置にある場合、径方向に屈曲するアームを完全に包囲して配置されている。
【００２２】
この発明の別の局面によれば、保持部材は、遠位ハウジング部に対して、装置の遠位端に向かって予め定められた距離だけ、非活動位置から、保持部材が径方向に屈曲するアームを部分的に包囲する活動位置へと、軸方向に動かされるよう配置されている。
【００２３】
この発明のさらなる局面によれば、容器はマルチチャンバ医薬品容器であってもよく、それにより、マルチチャンバは、前記ハウジング部を互いに向かって動かすことによって混合可能であり、保持部材の活動位置は、マルチチャンバが混合されるマルチチャンバの位置に対応している。
【００２４】
この発明に従った医薬品送達装置には多くの利点がある。２つのハウジング部が互いに対して初期位置にある場合、駆動機構に動作可能に接続された、すなわちプランジャロッドに直接接続された作動部材が、駆動力機構をその負荷状態から解除できないという事実は、装置が偶発的に起動されることはあり得ないこと、すなわち、装置を起動するにはユーザによる自発的作用が必要であることを確実にする。この起動は、ハウジング部を互いに向かって動かすことによって初期化される。この発明の一局面によれば、この起動はハウジング部を互いに対して回転させることによって行なわれ、それは直感的動作である。好ましくは、ハウジング部は互いに螺着され、それにより、一方のハウジング部が他方の内部へと動かされる。
【００２５】
ハウジング部を動かす間、駆動力機構を解除することはできず、このため、医薬品の送達を行なうことはできない。２つのハウジング部が予め定められた位置に到達して初めて、駆動力機構は解除可能になり、それにより、医薬品容器から投与量の送達を行なうことが可能になる。その点で、医薬品容器は好ましくはマルチチャンバ容器であり、それにより、起動、すなわちハウジング部を動かすことにより、マルチチャンバ容器の遠位ストッパがプランジャロッドの近位端に押付けられ、混合が行なわれる。このため、作動機構が解除されたか否かに係わらず、前記作動部材は付勢後いつも後戻りする。
【００２６】
全体として、マルチチャンバ医薬品容器も取扱うことができる、単純で信頼できる装置が得られる。
【００２７】
図面の簡単な説明
以下のこの発明の詳細な説明では、添付図面を参照する。
【図面の簡単な説明】
【００２８】
【図１】初期位置にあるこの発明の一実施例の側面図である。
【図２】図１の装置の断面側面図である。
【図３】図２の区域ＩＩＩからの詳細図である。
【図４】ある機能的位置における図１の装置の断面図である。
【図５】ある機能的位置における図１の装置の断面図である。
【図６】ある機能的位置における図１の装置の断面図である。
【図７】ある機能的位置における図１の装置の断面図である。
【図８】ある機能的位置における図１の装置の断面図である。
【発明を実施するための形態】
【００２９】
発明の詳細な説明
本願では、「遠位部／端」という用語を使用する場合、これは、患者の医薬品送達部位から最も遠くに位置する、送達装置の部分／端、またはその部材の部分／端を指す。これに応じて、「近位部／端」という用語を使用する場合、これは、患者の医薬品送達部位の最も近くに位置する、送達装置の部分／端、またはその部材の部分／端を指す。
【００３０】
この発明は、医薬品送達装置であって、ハウジング、より好ましくは装置の長手方向軸に沿って延在する概して細長いハウジングを含み、ハウジングは、装置の長手方向軸に沿って互いに対して可動に配置され搭載された近位ハウジング部１２および遠位ハウジング部１０を含み、前記医薬品送達装置はさらに、前記遠位ハウジング部に収容され、遠位ハウジング部に対して摺動可能に配置された駆動力機構と、前記近位ハウジング部内に配置された、医薬品が充填された容器２２と、前記駆動力機構に動作可能に接続され、前記駆動力機構を負荷状態で保持するための保持部材５０とを含み、前記保持部材は、前記ハウジング部が装置の長手方向軸に沿って互いに向かって動かされると、近位ハウジング部によって、遠位ハウジング部に対して、装置の遠位端に向かって予め定められた距離だけ、軸方向に動かされるよう配置されており、前記医薬品送達装置はさらに作動部材５６を含み、前記作動部材は、遠位ハウジング部に対して、作動部材が遠位ハウジング部から部分的に突出する非動作位置から、作動部材が遠位ハウジング内に閉じ込められる動作位置へと付勢されるよう構成され、駆動力機構をその負荷状態から解除するために前記駆動力機構に動作可能に接続されており、前記作動機構が解除されたか否かに係わらず、前記作動部材が付勢後いつも後戻りするように、前記作動部材は遠位ハウジング部に弾性的に接続されており、保持部材が遠位ハウジング部に対して軸方向に動かされ、作動部材が非動作位置から動作位置へと付勢されて初めて、前記駆動力機構はその負荷状態から解除されるよう構成されている、医薬品送達装置に関する。
【００３１】
この発明では、近位ハウジング部１２は協働手段６０を含み、保持部材５０は反協働手段６２を含み、それらは、保持部材を遠位ハウジング部に対して装置の遠位端に向かって予め定められた距離だけ動かすためにともに相互作用する。また、駆動力機構は、プランジャロッド３２と、駆動力ばね３４と、駆動部材４０とを含む。作動部材５６は係合手段５２を含み、プランジャロッドは反係合手段３３を含み、それらはともに相互作用し、前記係合手段および前記反係合手段は、前記作動部材が付勢されると、プランジャロッドが遠位ハウジング部に対して予め定められた距離だけ軸方向に動かされるように構成されている。駆動部材４０は解除可能手段４４を含み、プランジャロッド３２は反解除可能手段４２を含み、それらは、プランジャロッドを駆動部材に解除可能に係合するためにともに相互作用する。
【００３２】
この発明では、容器はマルチチャンバ医薬品容器であってもよく、それにより、マルチチャンバは、前記ハウジング部を装置の長手方向軸に沿って互いに向かって動かすことによって混合可能である。
【００３３】
図１〜８は、この発明の例示的な一実施例を示す。
例示的な実施例（図１）における細長い管状のハウジングは、遠位ハウジング部１０と近位ハウジング部１２とを含み、前記近位ハウジング部は、マルチチャンバ医薬品容器としての容器２２を収容するよう配置されており、それにより、マルチチャンバ医薬品容器内の成分は、前記ハウジング部を装置の長手方向軸に沿って互いに向かって動かすことによって、好ましくは前記ハウジング部をねじ込むことによって混合可能である。この例示的な実施例では、近位ハウジング部１２の外面は、遠位ハウジング部１０の内面上の対応するねじ山１６と協働するよう配置されたねじ山１４を含む。近位ハウジング部の近位端にはさらにネック部１８が配置され、ネック部１８には、医薬品送達部材（図示せず）を取付けるための取付手段が配置されており、医薬品送達部材は好ましくは注射針である。しかしながら、マウスピースまたはノーズピース、ノズル、噴霧ユニットなどの他の種類の医薬品送達部材を採用してもよいことが理解されるべきである。近位ハウジング部１２にはまた、長手方向に延在する羽根といった回転部材２０が配置されており、それは、遠位ハウジング部に対する近位ハウジング部の手動回転を容易にする。また、遠位ハウジング部の内面は、円周方向棚部を含む。
【００３４】
この例示的な実施例では、マルチチャンバ医薬品容器２２は、たとえば、２つの区画２４、２６を有して設計された二重チャンバ容器であり、一方の区画は好ましくは、粉末状の医薬品を収容し、他方の区画は好ましくは、希釈剤を収容する（図２）。これら２つの区画は、弾性の可動ストッパ２８によって分離されており、このストッパは、動かされると、医薬品を希釈剤と混合するために区画間の通路を開放する。遠位に配置された第２のストッパ３０が、医薬品容器の遠位端を閉鎖している。
【００３５】
例示的な実施例における駆動力機構は、駆動力ばね３４と、細長いプランジャロッド３２と、駆動部材４０とを含み、前記駆動部材は、プランジャロッド上に同軸状に配置され、前記プランジャロッドを部分的に包囲している。細長いプランジャロッド３２の近位端は、遠位ストッパ３０と接触している。プランジャロッド３２の内部には、駆動力ばね３４が、プランジャロッド３２の近位端壁３６と駆動部材４０の遠位端壁３８との間に配置されている（図２）。
【００３６】
例示的な実施例では、駆動部材４０は、概して管状の形状を有する。駆動部材４０の遠位管状部の外面は環状棚部を含み、それは、駆動部材の遠位管状部の一部が、遠位ハウジング部の内面上の円周方向棚部によって形成された開口を通過すると、遠位ハウジング部の内面上の円周方向棚部に当接するよう配置されている。駆動部材４０の解除可能手段４４は、内側に延在する棚部４６が設けられた、長手方向に延在しかつ径方向に屈曲するアームであり、プランジャロッド３２の反解除可能手段４２は、その円周方向外面上の溝であり、内側に延在する棚部４６は前記溝に嵌まる。好ましくは、前記長手方向に延在しかつ径方向に屈曲するアームは、径方向外側に向けられた力をかけるように構成されている。各アーム４４にはさらに、外側に向けられた棚部４８が配置されている。
【００３７】
例示的な実施例の保持部材５０は、概して管状の形状を有しており、駆動部材４０上に同軸状に配置されている。保持部材は、保持部材が径方向に屈曲するアームを完全に包囲している場合、すなわち、アーム４４の棚部４８が保持部材５０の内面によって完全に包囲されている場合、非活動位置にある。保持部材５０は、遠位ハウジング部に対して軸方向に可動であり、好ましくは、前記ハウジング部が互いに向かって動かされると、近位ハウジング部によって、遠位ハウジング部に対して、装置の遠位端に向かって予め定められた距離だけ、軸方向に動かされるよう配置されている。言い換えれば、保持部材５０は、非活動位置から、装置の遠位端に向かって、保持部材が径方向に屈曲するアームを部分的に包囲する、すなわち、アーム４４の棚部４８が保持部材５０の内面によって部分的に包囲される活動位置へと、摺動可能に動かされる。駆動部材４０にはさらに、外側に延在する隆起または突起５４がその外周面上に配置されており、保持部材が非活動位置にある場合に駆動部材４０に対して保持部材５０を所定の位置に保持し、駆動部材４０に対して保持部材５０が摺動しないようにする。
【００３８】
駆動力ばね３４が前記プランジャロッド内で予め張力をかけられている場合、駆動部材がプランジャロッドに係合されている場合、および保持部材が非活動位置または活動位置のいずれかにある場合、駆動力機構は負荷状態にある。
【００３９】
作動部材５６は、例示的な実施例では好ましくはプッシュボタンとしてのスリーブの形状をしており、遠位ハウジング部１０から突出する可触部を含む。好ましくは、作動部材の遠位部は、遠位ハウジング部の遠位端から突出する。作動部材は好ましくは、装置の長手方向軸に沿った長手方向において、遠位ハウジング部に対して可動である。作動部材５６には、装置の長手方向軸に沿って延在する内部スリーブが設けられており、そこに駆動部材４０の遠位管状部の一部が嵌まる。しかしながら、駆動部材は好ましくは、作動部材に固定接続される。好ましくは、駆動部材４０の遠位端壁と作動部材５６の横断壁との間には、ある距離がある。作動部材５６は、作動部材が付勢されるたびにその後それが後戻りするように、遠位ハウジング部に弾性的に接続される。このため、作動部材５６の横断壁と、遠位ハウジング部の内面上の円周方向棚部との間に、弾性部材５８が配置される。したがって、作動部材は、遠位ハウジング部に対して、作動部材が遠位ハウジング部から部分的に突出する非動作位置から、作動部材が遠位ハウジング内に閉じ込められる動作位置へと付勢可能であり、付勢後いつも後戻りする。
【００４０】
例示的な実施例では、作動部材５６の係合手段は、近位方向に延在する舌状部５２であり、反係合手段３３は、プランジャロッド３２の遠位端環状面である。好ましくは、近位方向に延在する舌状部５２は、駆動部材４０の遠位端壁３８上に配置された開口を通って延在する。
【００４１】
例示的な実施例では、近位ハウジング部１２の協働手段６０は、その遠位端環状面であり、保持部材５０の反協働手段６２は、保持部材の近位外周上の環状棚部である。
【００４２】
例示的な実施例の装置は、以下のように機能するよう意図されている。装置がユーザに届けられると、近位ハウジング部１２が遠位ハウジング部１０に対して伸長される（図１）。まず、ユーザは、近位ハウジング部１２の近位ネック部１８に医薬品送達部材（図示せず）を取付ける。次の工程は、マルチチャンバ医薬品容器２２内の成分を混合することである。ユーザは次に、遠位ハウジング部１０に対して近位ハウジング部１２を回転させ、それにより、近位ハウジング部は遠位ハウジング部内へと動かされ、または引っ込められる。２つのハウジング部のこの相対運動により、プランジャロッド３２は、その近位端が遠位ストッパ３０を近位方向に押すように、医薬品容器２２に対して動くようになる。これは次に、２つの区画間で通路が開放されて混合が行なわれるように、弾性の可動近位ストッパ２８を動かす（図４）。
【００４３】
容器内で成分を混合する前は、作動部材５６は非動作位置にあり、保持部材５０は非活動位置にある。例示的な実施例における保持部材の非活動位置は、アーム４４の内側に向けられた棚部４６がプランジャロッド３２の溝４２に保持され、それにより駆動力ばね３４がプランジャロッド３２内で予め張力をかけられて保持されるように、すなわち駆動力機構が負荷状態にあるように、保持部材５０が駆動部材４０の径方向に屈曲するアーム４４を完全に包囲している場合の保持部材５０の位置によって特徴付けられる。また、保持部材５０が非活動位置にあり、作動部材５６が非動作位置から動作位置へと付勢される場合、弾性部材５８は圧縮され、駆動力機構および保持部材５０は、係合手段５２および反係合手段３３による作動部材５６とプランジャロッド３２との係合により、また駆動部材のアーム４４の内側に向けられた棚部４６およびプランジャロッドの溝によるプランジャロッドと駆動部材４０との係合により、装置の近位端に向かって動かされる。しかしながら、混合の前に装置を起動することはできない。すなわち、駆動力機構をその負荷状態から解除することはできない。さらに、作動部材は後戻りする。
【００４４】
混合が完了する直前、保持部材が非活動位置から活動位置へと動かされるように、近位ハウジング部１２の遠位端環状面６０が、保持部材５０の外周上の環状棚部６２と接触するよう動かされる。次に、保持部材は、遠位ハウジング部の内面上の円周方向棚部と近位ハウジング部の遠位環状棚部との間で固定されて保持される。例示的な実施例における保持部材の活動位置は、アーム４４の棚部４８の一部が保持部材５０の近位端から突出するように、すなわち、アーム４４の棚部４８が保持部材５０の内面によって部分的に包囲されるように、保持部材５０が駆動部材に対して位置付けられる場合の保持部材５０の位置によって特徴付けられる（図５）。
【００４５】
次の工程は、ここで投与量送達を行なうことである。ユーザは次に、装置の近位部を医薬品送達部位に位置付ける。注射針を使用する場合、装置は患者の皮膚表面に押しつけられ、それにより針の穿通が行なわれる。
【００４６】
この後、作動部材、すなわちプッシュボタン５６が付勢される（図７）。これにより、弾性部材５８は圧縮され、プランジャロッド３２は、駆動部材４０とともに、アーム４４の棚部４８が保持部材５０の近位端を完全に通過するまで、装置の近位端に向かって動かされるようになる。駆動部材４０のアーム４４はそれにより、径方向外側方向に自由に広がり、それにより、内側に向けられた棚部４６はプランジャロッド３２の溝４２から出る。後者はここで、駆動ばね３４の力によって近位方向に自由に動き、それは医薬品容器２２のストッパ２８、３０を近位方向に動かし、それにより医薬品送達部材を通してある投与量の医薬品が放出される（図７）。また、装置の近位端に向かって駆動部材を動かすことにより、駆動部材の遠位管状部の外面上の環状棚部と、遠位ハウジング部の内面上の円周方向棚部との間に、間隙が生じる。
【００４７】
注射シーケンスの最後に、プランジャロッド３２の遠位端が駆動部材４０の近位端を通過する（図８）。駆動部材４０のアーム４４は次に、保持部材５０の内部で径方向内側に自由に動き、駆動ばね３４の残留力により、駆動部材４０は、駆動部材の遠位管状部の外面上の環状棚部が遠位ハウジング部の内面上の円周棚部に当たるまで、遠位方向に押されるであろう。この接触は、クリックなどの聞こえる音、および作動部材の触覚を提供し、それは送達の終わりを示す。作動部材はまた、後戻りする。ユーザが依然として作動部材を押している場合、ユーザには、送達の終わりを示す触覚フィードバックが提供されるであろう。
【００４８】
医薬品送達動作が完了すると、装置を医薬品送達部位から取外し、安全な方法で廃棄してもよい。
【００４９】
より好ましくは、作動部材は、作動機構が解除されたか否かに係わらず、付勢された後いつも後戻りする。
【００５０】
上に説明し、図面に示した実施例は単に、この発明の非限定的な例として見なされるべきであること、および、それは特許請求の範囲内で多くの方法で修正されてもよいことが理解されるべきである。
【図１】
2013536725.tif 000003
【図２】
2013536725.tif 000004
【図３】
2013536725.tif 000005
【図４】
2013536725.tif 000006
【図５】
2013536725.tif 000007
【図６】
2013536725.tif 000008
【図７】
2013536725.tif 000009
【図８】
2013536725.tif 000010
【国際調査報告】
2013536725.tif 000011
2013536725.tif 000012
2013536725.tif 000013